(57)【要約】      （修正有）【課題】  ドライブシャフトに作用する軸トルクを正確に測定できる軸トルク測定方法、および測定装置を提供する。【解決手段】  各等速ジョイント２、３の外輪2a、3aにセンサーターゲット４，５を取り付け、両センサーターゲット４，５によって発生する回転信号をセンサ６，７で検出し、ドライブシャフト１に生じたねじれに対応する回転信号の位相差を演算処理して軸トルクを求める。この位相差の演算処理として、ドライブシャフト１の回転数を検出して、この検出した回転数に比例した周波数のパルスを発生させ、アウトボード側の回転パルスとインボード側の回転パルスとの位相差を、前記回転数比例パルスのカウント値として求める。回転数比例パルスの周波数は、ドライブシャフト１のねじれ角度の検出の分解能をＳ度とした場合、（６０×ドライブシャフトの回転数（ｒｐｍ）／Ｓ）Ｈｚ以上とする。【選択図】        図２
2007093407.tif 000002
【特許請求の範囲】
【請求項１】
両端にて等速ジョイントを介して自動車の駆動系統に接続されるドライブシャフトの各等速ジョイントの外輪にセンサーターゲットを取り付け、このセンサーターゲットに対向して設けたセンサによって両センサーターゲットを検出して発生する回転パルス信号を検出し、その検出した回転パルス信号からドライブシャフトに生じたねじれに対応する回転信号の位相差を演算処理して軸トルクを求める方法であって、
前記位相差の演算処理では、アウトボード側の回転パルス信号またはインボード側の回転パルス信号または外部の回転センサによってドライブシャフトの回転数を検出して、この検出したドライブシャフトの回転数に比例した周波数のパルスを発生させ、アウトボード側の回転パルスとインボード側の回転パルスとの位相差を、前記回転数比例パルスのカウント値として求め、
前記回転数比例パルスの周波数は、ドライブシャフトのねじれ角度の検出の分解能をＳ度とした場合、（６０×ドライブシャフトの回転数（ｒｐｍ）／Ｓ）Ｈｚ以上とすることを特徴とするドライブシャフトの軸トルク測定方法。
【請求項２】
請求項１において、前記センサーターゲットが円周方向に等配された複数の歯または磁極対を有するものとし、前記歯または極対の数をＡ、測定する最大のねじれ角度をＢdeg とすると、
Ｂ＞（１８０／Ａ）
であるドライブシャフトの軸トルク測定方法。
【請求項３】
請求項１または請求項２において、アウトボード側の回転パルス信号とインボード側の回転パルス信号は、前記ドライブシャフトにトルクが作用していない状態で、位相差がゼロとなるように、等速ジョイントの外輪へのセンサーターゲットの固定、またはセンサの位相角を設定したドライブシャフトの軸トルク測定方法。
【請求項４】
請求項１ないし請求項３のいずれか１項において、前記ドライブシャフトにトルクが作用していない状態で前記ドライブシャフトのアウトボード側の回転パルス信号とインボード側の回転パルス信号の位相差を求め、この求めた値によって、軸トルク測定時の位相差の演算結果を補正するドライブシャフトの軸トルク測定方法。
【請求項５】
請求項１ないし請求項４のいずれか１項において、前記各回転パルス信号を検出するよりも先に、予め、両等速ジョイントの外輪間のトルクと前記位相差の関係を測定もしくは計算により求めておき、この求めておいたトルクと位相差の関係により、軸トルク測定時の位相差の演算結果を補正するドライブシャフトの軸トルク測定方法。
【請求項６】
請求項１ないし請求項５のいずれか１項において、測定されたドライブシャフトの軸トルクに相当するドライブシャフトのねじれ角度が、設定した最大のねじれ角度Ｂdeg 以上となった場合に、異常信号を外部に出力するドライブシャフトの軸トルク測定方法。
【請求項７】
請求項１ないし請求項６のいずれか１項において、各センサーターゲットに対向し設置されるセンサを複数個用い、これら複数のセンサを、所定の間隔に離して固定するドライブシャフトの軸トルク測定方法。
【請求項８】
請求項７において、同一センサーターゲットに対向する前記センサの出力から前記ドライブシャフトの回転方向を検出し、または外部に設けたセンサによって前記ドライブシャフトの回転方向を検出し、この回転方向の検出結果を元に、軸トルク測定時の位相差の計算式を変更するドライブシャフトの軸トルク測定方法。
【請求項９】
請求項１ないし請求項８のいずれか１項において、前記各センサーターゲットが円周方向に等配された複数の歯または磁極対を有するものとし、これらセンサーターゲットの前記歯の厚さと隣合う歯の間の幅、または前記極対の極の幅と極間隔をほぼ同じにし、各センサーターゲットに対向してそれぞれ複数個のセンサを配置し、これら複数個のセンサの出力は互いに、センサ個数をＤ個とすると（１８０／Ｄ）deg の位相差をもつようにし、これらのセンサの出力によってセンサーターゲットの歯列による凹凸または極変化によるパルス出力をＤ分割し、このＤ分割されたパルス出力をアンチロックブレーキシステムの制御用信号に利用するドライブシャフトの軸トルク測定方法。
【請求項１０】
請求項９において、各センサーターゲットに対向し設置されるＤ個のセンサの出力は互いに（１８０／Ｄ）deg の位相差をもつように、各センサ位置を設定したドライブシャフトの軸トルク測定方法。
【請求項１１】
請求項９において、各センサーターゲットに対向し設置されるＤ個のセンサの出力は互いに（１８０／Ｄ）deg の位相差をもつように、予め、両センサーターゲットに対向する各センサ出力の測定結果からその位相差を検出して記憶しておき、この記憶しておいた検出値とセンサーターゲットの回転速度によって、センサの回転検出出力を補正するドライブシャフトの軸トルク測定方法。
【請求項１２】
請求項１ないし請求項１１のいずれか１項に記載のドライブシャフトの軸トルク測定方法によって求めた軸トルクの信号を、車両走行制御に用いることを特徴とする自動車の走行制御方法。
【請求項１３】
両端にて等速ジョイントを介して自動車の駆動系統に接続されるドライブシャフトの各等速ジョイントの外輪にセンサーターゲットを取り付け、このセンサーターゲットに対向して、各センサーターゲットをそれぞれ検出して発生する回転パルス信号を検出するセンサを設け、これら各センサで検出した回転パルス信号からドライブシャフトに生じたねじれに対応する位相差を演算処理で求める位相差演算処理手段、および求められた位相差から軸トルクを求める位相差対応軸トルク演算手段を設け、
前記位相差演算処理手段は、
アウトボード側の回転パルス信号またはインボード側の回転パルス信号または外部の回転センサによってドライブシャフトの回転数を検出して、この検出したドライブシャフトの回転数に比例した周波数のパルスを発生させる回転数比例パルス出力手段と、
アウトボード側の回転パルスとインボード側の回転パルスとの位相差を、前記回転数比例パルスのカウント値として求めるねじれ角度対応位相差演算手段とを含み、
前記回転数比例パルス出力手段の出力する前記回転数比例パルスの周波数は、ドライブシャフトのねじれ角度の検出の分解能をＳ度とした場合、（６０×ドライブシャフトの回転数（ｒｐｍ）／Ｓ）Ｈｚ以上とする、
ことを特徴とするドライブシャフトの軸トルク測定装置。
【発明の詳細な説明】
【技術分野】
【０００１】
この発明は、自動車のエンジンの動力を車輪に伝達する役目を持っている駆動輪車軸、すなわちドライブシャフトにおいて、その軸トルクを測定する方法および装置に関する。このようなドライブシャフトとしては、前輪駆動車の前車軸、後輪駆動車の後車軸、全輪駆動車の全車軸が該当する。
【背景技術】
【０００２】
独立懸架方式のサスペンションを採用する自動車のドライブシャフトでは、サスペンションの動きに追随しながら駆動力を伝達する必要がある。このため、ドライブシャフトの一端は等速ジョイントを介してディファレンシャルと連結され、他端は等速ジョイントを介して車軸（アクスル）と連結される。このようにしてドライブシャフトはエンジンの動力を車輪まで伝える駆動系統に組み込まれ、エンジンの動力は最終的にドライブシャフトによって車輪に伝えられる。
また、最近の自動車はあらゆる部分に電子制御技術が導入されており、アンチロックブレーキシステム（ＡＢＳ）、トラクションコントールシステム（ＴＣＳ）、ノンスリップデフ（ＬＳＤ）などの走行制御では車輪速信号が利用されている。このために、通常、ドライブシャフトのアウトボード側（アクスル側）にＡＢＳ（アンチロックブレーキシステム）制御用のパルサーリングが設けられ、車輪の回転に伴い歯車状のパルサーリングが回転すると、それに近接して車体側に設置された電磁ピックアップに車輪回転数に比例した周波数のパルスが発生するようになっている。
【０００３】
特許文献１において、両端に等速ジョイントを具備した自動車のドライブシャフトであって、各等速ジョイントすなわちインボード側、アウトボード側のそれぞれの等速ジョイントの外輪にパルサーリングを取り付け、両パルサーリングによって発生する回転信号を検出し、ドライブシャフトに生じたねじれに対応する回転信号の位相差を演算処理して軸トルクを求めるドライブシャフトの軸トルク測定方法が示されている。
また、求めた軸トルク信号に基づいてエンジンの出力を制御することにより、過大トルクの発生を防止し、この過大トルトの発生防止によってドライブシャフトの軸径および等速ジョイントのサイズダウンによる軽量化を図ることが開示されている。
【特許文献１】特開平７−６３６２８号公報
【発明の開示】
【発明が解決しようとする課題】
【０００４】
自動車に使用されるドライブシャフトの等速ジョイントは、自動車の急発進や急加速時等の過大トルクが発生してもこれに十分耐えられる強度が要求される。そのため、軸径やジョイント外径は大きく、重量も重くならざるを得ない。
一方、燃費改善には車体の軽量化が非常に効果的であり、ドライブシャフトも軽量化の必要にせまられている。
【０００５】
この軽量化を図るには、ドライブシャフトに作用する軸トルクを正確に測定し、特許文献１に示されるように、求めた軸トルクでエンジン出力を制御し、過大トルクの発生を防止することが効果的である。
しかし、特許文献１には、上記のように両側の等速ジョイントの位相差によってドライブシャフトの軸トルクを求める方法が開示されているが、その位相差を測定する具体的な記述がなく、正確なトルクを測定する方法の確立が望まれていた。
【０００６】
また、低μ（摩擦係数）路での走行では、タイヤのスリップが発生しやすく、タイヤ進行方向における路面−タイヤ間作用力が測定できれば、この測定データを利用して、車体制御によってこれを事前に防止も可能となる。そのため、この路面−タイヤ間作用力を測定できる方法の確立についても望まれる。
【０００７】
この発明の目的は、ドライブシャフトに作用する軸トルクを正確に測定できて、ドライブシャフトの軽量化に貢献でき、さらに、路面−タイヤ間の作用力の推定を可能とするドライブシャフトの軸トルク測定方法、および測定装置を提供することである。
【課題を解決するための手段】
【０００８】
この発明のドライブシャフトの軸トルク測定方法は、両端にて等速ジョイントを介して自動車の駆動系統に接続されるドライブシャフトの各等速ジョイントの外輪にセンサーターゲットを取り付け、このセンサーターゲットに対向して設けたセンサによって両センサーターゲットを検出して発生する回転パルス信号を検出し、その検出した回転パルス信号からドライブシャフトに生じたねじれに対応する回転信号の位相差を演算処理して軸トルクを求める方法であって、前記位相差の演算処理として、次の処理を行うことを特徴とする。
すなわち、前記位相差の演算処理では、アウトボード側の回転パルス信号またはインボード側の回転パルス信号または外部の回転センサによってドライブシャフトの回転数を検出して、この検出したドライブシャフトの回転数に比例した周波数のパルスを発生させ、アウトボード側の回転パルスとインボード側の回転パルスとの位相差を、前記回転数比例パルスのカウント値として求める。
前記回転数比例パルスの周波数は、ドライブシャフトのねじれ角度の検出の分解能をＳ度とした場合、（６０×ドライブシャフトの回転数（ｒｐｍ）／Ｓ）Ｈｚ以上とする。
【０００９】
ドライブシャフト両端の各等速ジョイントの外輪にセンサーターゲットを取り付け、このセンサーターゲットに対向してセンサを取り付けておけば、トルクによってドライブシャフトがねじれたとき、そのねじれは両センサーターゲットによって発生する回転信号の位相差となって現われる。
この位相差の演算処理では、ドライブシャフトの回転数に比例した周波数の回転数比例パルスを発生させ、アウトボード側の回転パルス信号とインボード側の回転パルス信号との位相差を、前記回転数比例パルスのカウント値によって計算する。この回転数比例パルスを、上記のように測定分解能、つまりドライブシャフトのねじれ角度検出の分解能を考慮したものとすることで、正確にねじれ角度を検出することが可能となる。
このようにして、ドライブシャフトに生じたねじれに対応する回転信号の位相差を正確に求めることができ、この位相差を演算処理して軸トルクを求める。
【００１０】
求めた軸トルクの信号に基づいてエンジンの出力を制御し、過大トルクの発生を抑えることにより、等速ジョイントのサイズダウン、軽量化を図ることができる。
軸トルクを測定することで、タイヤ進行方向における路面−タイヤ間作用力の推定が可能となる。低μ路での走行では、タイヤのスリップが発生し易いが、タイヤ進行方向における路面−タイヤ間作用力が測定できれば、この測定データを利用して、車体制御によってこれを事前に防止することが可能となる。
【００１１】
前記センサーターゲットおよびこれに対向するセンサからなる回転検出器としては、ＡＢＳ制御用に一方の等速ジョイントに設けられるものを用いても良く、その場合、他方の等速ジョイントに同様な回転検出器を設けれぱ良い。
【００１２】
この発明方法において、前記センサーターゲットが円周方向に等配された複数の歯または磁極対を有するものとし、前記歯または極対の数をＡ、測定する最大のねじれ角度をＢdeg とすると、
Ｂ＞（１８０／Ａ）
であっても良い。
このように歯または極対の数Ａと測定する最大のねじれ角度Ｂの関係を規制することにより、位相差検出パルス数の誤カウントが回避され、ねじれを推定する計算方法が簡便化され、軸トルク検出の信頼がアップする。
【００１３】
アウトボード側の回転パルス信号とインボード側の回転パルス信号は、前記ドライブシャフトにトルクが作用していない状態で、位相差がゼロとなるように、等速ジョイントの外輪へのセンサーターゲットの固定、またはセンサの位相角を設定しても良い。
これにより、ドライブシャフトにトルクが作用していない状態で位相差が検出されることが回避できる。
【００１４】
また、前記ドライブシャフトにトルクが作用していない状態で前記ドライブシャフトのアウトボード側の回転パルス信号とインボード側の回転パルス信号の位相差を求め、この求めた値によって、軸トルク測定時の位相差の演算結果を補正するようにしても良い。
この補正により、軸トルク検出の精度、信頼性が向上する。
【００１５】
この発明方法において、前記各回転パルス信号を検出するよりも先に、予め、両等速ジョイントの外輪間のトルクと前記位相差の関係を測定もしくは計算により求めておき、この求めておいたトルクと位相差の関係により、軸トルク測定時の位相差の演算結果を補正するようにしても良い。これにより、より正確な軸トルクの測定が可能となる。
【００１６】
測定されたドライブシャフトの軸トルクに相当するドライブシャフトのねじれ角度が、設定した最大のねじれ角度Ｂdeg 以上となった場合には、異常信号を外部に出力しても良い。
これより、さらなる軸トルク検出の信頼性のアップが図れると同時に、ドライブシャフト１の破損を防止できる。
【００１７】
また、各センサーターゲットに対向し設置されるセンサを複数個用い、これら複数のセンサを、所定の間隔に離して固定しても良い。
この場合に、同一センサーターゲットに対向する前記センサの出力から前記ドライブシャフトの回転方向を検出し、または外部に設けたセンサによって前記ドライブシャフトの回転方向を検出し、この回転方向の検出結果を元に、軸トルク測定時の位相差の計算式を変更しても良い。
【００１８】
この発明において、前記各センサーターゲットが円周方向に等配された複数の歯または磁極対を有するものとし、これらセンサーターゲットの前記歯の厚さと隣合う歯の間の幅、または前記極対の極の幅と極間隔をほぼ同じにし、各センサーターゲットに対向してそれぞれ複数個のセンサを配置し、これら複数個のセンサの出力は互いに、センサ個数をＤ個とすると（１８０／Ｄ）deg の位相差をもつようにし、これらのセンサの出力によってセンサーターゲットの歯列による凹凸または極変化によるパルス出力をＤ分割し、このＤ分割されたパルス出力をアンチロックブレーキシステムの制御用信号に利用しても良い。
これにより、回転検出の分解能を高めることができ、車輪用軸受に設けられる回転検出装置と同程度の回転検出精度を得ることができる。
【００１９】
この場合に、各センサーターゲットに対向し設置されるＤ個のセンサの出力は互いに（１８０／Ｄ）deg の位相差をもつように、各センサ位置を設定しても良い。
またこの場合に、各センサーターゲットに対向し設置されるＤ個のセンサの出力は互いに（１８０／Ｄ）deg の位相差をもつように、予め、両センサーターゲットに対向する各センサ出力の測定結果からその位相差を検出して記憶しておき、この記憶しておいた検出値とセンサーターゲットの回転速度によって、前記センサの出力を補正しても良い。
これにより、アンチロックブレーキシステムの制御用センサとしての精度アップを図ることができる。
【００２０】
この発明の自動車の走行制御方法は、この発明の上記いずれかの構成のドライブシャフトの軸トルク測定方法によって求めた軸トルクの信号を、車両走行制御に用いることを特徴とする。
【００２１】
この発明のドライブシャフトの軸トルク測定装置は、両端にて等速ジョイント（２，３）を介して自動車の駆動系統に接続されるドライブシャフト（１）の各等速ジョイント（２，３）の外輪にセンサーターゲット（４，５）を取り付け、このセンサーターゲット（４，５）に対向して、各センサーターゲット（４，５）をそれぞれ検出して発生する回転パルス信号を検出するセンサ（６，７）を設け、これら各センサ（６，７）で検出した回転パルス信号からドライブシャフト（１）に生じたねじれに対応する位相差を演算処理で求める位相差演算処理手段（１２）、および求められた位相差から軸トルクを求める位相差対応軸トルク演算手段（１３）を設ける。
前記位相差演算処理手段（１２）は、
アウトボード側の回転パルス信号またはインボード側の回転パルス信号または外部の回転センサによってドライブシャフト（１）の回転数を検出して、この検出したドライブシャフト（１）の回転数に比例した周波数のパルスを発生させる回転数比例パルス出力手段（１８）と、
アウトボード側の回転パルスとインボード側の回転パルスとの位相差を、前記回転数比例パルスのカウント値として求めるねじれ角度対応位相差演算手段（１６）とを含み、
前記回転数比例パルス出力手段（１８）の出力する前記回転数比例パルスの周波数は、ドライブシャフト（１）のねじれ角度の検出の分解能をＳ度とした場合、（６０×ドライブシャフトの回転数（ｒｐｍ）／Ｓ）Ｈｚ以上とする。
【発明の効果】
【００２２】
この発明のドライブシャフトの軸トルク測定方法は、両端にて等速ジョイントを介して自動車の駆動系統に接続されるドライブシャフトの各等速ジョイントの外輪にセンサーターゲットを取り付け、このセンサーターゲットに対向して設けたセンサによって両センサーターゲットを検出して発生する回転パルス信号を検出し、その検出した回転パルス信号からドライブシャフトに生じたねじれに対応する回転信号の位相差を演算処理して軸トルクを求める方法であって、前記位相差の演算処理では、アウトボード側の回転パルス信号またはインボード側の回転パルス信号または外部の回転センサによってドライブシャフトの回転数を検出して、この検出したドライブシャフトの回転数に比例した周波数のパルスを発生させ、アウトボード側の回転パルスとインボード側の回転パルスとの位相差を、前記回転数比例パルスのカウント値として求め、前記回転数比例パルスの周波数は、ドライブシャフトのねじれ角度の検出の分解能をＳ度とした場合、（６０×ドライブシャフトの回転数（ｒｐｍ）／Ｓ）Ｈｚ以上とする方法であるため、ドライブシャフトに作用する軸トルクを正確に測定できて、その測定した軸トルクをエンジンの出力制御に用い、過大トルクを防止することにより、ドライブシャフトの軽量化に貢献でき、さらに測定した軸トルクから、路面−タイヤ間の作用力の推定が可能となる。
【発明を実施するための最良の形態】
【００２３】
この発明の一実施形態を、図１ないし図１３と共に説明する。図１に示すように、ドライブシャフト１は両端にて等速ジョイント２，３を介して駆動系統に接続される。図示する実施形態の場合、インボード側はトリポード型スライド式等速ジョイント２によりディファレンシャル（図示せず）と連結され、アウトボード側はバーフィールド型固定式等速ジョイント３によりアクスル（図示せず）と連結される。
【００２４】
なお、ドライブシャフト１の両端の等速ジョイントは、図示例のような組合せに限られない。たとえば、前輪駆動車の前車軸すなわち駆動輪前車軸の場合、前輪が操舵されるため、車輪側となるアウトボード側の等速ジョイント３は大きな作動角と共に等速性が要求される。この要求を満たすため、アウトボード側の等速ジョイント２にはバーフィールド型固定式継手（ゼッパ型固定式継手）、トリポード型固定式等速ジョイントなどが用いられる。車体側となるインボード側の等速ジョイント２にはサスペンションの動きを許容する作動角が要求される。この作動角は車輪側等速ジョイント３ほど大きくないが、サスペンションの動きに伴う車体の長さ変化を可能にする必要がある。このためインボード側等速ジョイント２にはバーフィールド型スライド式継手、トリポード型スライド式継手、クロスグローブ型継手などが用いられる。独立懸架方式の駆動輪後車軸は舵取り機能が不要で大きな作動角を必要としないためカルダン継手が使用される場合もある。
【００２５】
アウトボード側の等速ジョイント３の外輪３ａにはＡＢＳ（アンチロックブレーキシステム）制御用のセンサーターゲット５が取り付けられている。インボード側の等速ジョイント２の外輪２ａにも同種のセンサーターゲット４が取り付けられている。センサーターゲット４，５は、歯車状のパルサーリングまたはＮ極とＳ極の磁極対が円周方向に並べて設けられた磁気エンコーダ等からなる。車体側には、これらのセンサーターゲット４，５に近接する位置に、電磁ピックアップ等からなるセンサ６，７が設置され、センサーターゲット４，５が回転するとセンサ６，７に回転数に比例した周波数のパルスが発生する。対応する各センサーターゲット４，５とセンサ６，７とで、回転速度や回転角度を検出する回転検出器８，９をそれぞれ構成する。
【００２６】
ここで、図１では歯車状のパルサーリングまたは磁気エンコーダからなるセンサーターゲット４，５と電磁ピックアップからなるセンサ６，７とでセンサ系を構成したが、いかなるセンサーターゲットを用いても良い。また、センサ６，７として、電磁ピックアップの代わりに、光学式センサや他の磁気センサを使用してもよい。
【００２７】
図２は、このドライブシャフトの軸トルク測定装置の概念構成を示す。この軸トルク測定装置は、軸トルク演算部１１と、前記インボード側およびアウトボード側の回転検出器８，９により構成される。
軸トルク演算部１１は、上記各センサ６，７で検出した回転パルス信号からドライブシャフト１に生じたねじれに対応する位相差を演算処理で求める位相差演算処理手段１２、および求められた位相差から軸トルクを求める位相差対応軸トルク演算手段１３により構成される。
位相差対応軸トルク演算手段１３で検出されたドライブシャフト１の軸トルクは、車両走行制御手段３１による走行制御に使用される。また、この軸トルク測定装置１１で検出する回転パルス信号は、アンチロックブレーキシステム３２の制御に用いられる。
【００２８】
位相差演算処理手段１２は、その基本的な構成として回転数比例パルス出力手段１８、およびねじれ角度対応位相差演算手段１６を有する。
【００２９】
回転数比例パルス出力手段１８は、アウトボード側の回転パルス信号、またはインボード側の回転パルス信号、または外部の回転センサによってドライブシャフト１の回転数を検出して、この検出したドライブシャフト１の回転数に比例した周波数のパルスを発生させる手段である。図示の例では、一定周波数パルス出力手段１４により一定周波数パルスを発生させ、アウトボード側の回転検出器９の回転パルス信号の周期を、一定周波数パルスカウント手段１５が上記一定周波数パルスでカウントすることにより、ドライブシャフト１の回転数を検出する。この検出したドライブシャフト１の回転数から、回転数比例パルス出力手段１８によりドライブシャフト１の回転数に比例した周波数のパルスを発生させるものとしている。
ねじれ角度対応位相差演算手段１６は、各回転検出器９，８が出力するアウトボード側の回転パルスとインボード側の回転パルスとの位相差を、回転数比例パルス出力手段１８の出力する回転数比例パルスのカウント値として求める手段である。
前記各手段１３〜１８の詳細は、次に述べる軸トルク測定方法と共に説明する。
【００３０】
また、位相差演算処理手段１２は、この他に、異常判定手段１９、回転方向検出手段２０、回転方向対応計算式変更手段２１、初期位相ずれ補正手段２２、トルク・位相差関係補正手段２３、パルス分割手段２４、センサ位置対応補正手段２５を有している。これら各手段１９〜２５の機能についても、次に述べる軸トルク測定方法と共に説明する。
【００３１】
上記構成の軸トルク測定装置を用いた軸トルク測定方法を説明する。
自動車の急発進、急加速時においては、駆動系統に発生する軸トルクは大きく、四輪及び二輪車の駆動系統の中でクラッチ部を除く最も剛性の低いところはドライブシャフト１である。そのため、ドライブシャフト１はねじられる。このねじり角度を電磁ピックアップなどからなるセンサ６，７からのパルス信号に基づいて演算し、軸トルクを求める。
【００３２】
図３に示すように、トルクが発生していない場合は、ドライブシャフト１の両端におけるねじれはなく、インボード側およびアウトボード側のセンサーターゲット４，５によるパルスも位相が合っている。
【００３３】
しかし、トルクが発生するとドライブシャフト１がねじれるため、図４に示すように、インボード側のパルサーリング４により発生するパルスよりもアウトボード側のパルサーリング５により発生するパルスが遅れるため、位相差ｔまでの時間上がりが生じる。図では、インボード側回転パルスの立ち下がりとアウトボード側回転パルスの立ち下がりを示すが、各信号の立ち上がり間の位相差であってもよい。
【００３４】
ここで、図４では、車体は前進（正転）している状態を示し、さらに、インボード側パルサーリング４はアウトボード側パルサーリング５より回転角度が大きい状態で、インボード側回転パルスがアウトボード側回転パルスより進相状態にある。
【００３５】
そこで、図４で示されるように、インボード側回転パルスの立ち下がりからアウトボード側回転パルスの立ち下がりまでの時間が、アウトボード側回転パルスの立ち下がりからインボード側回転パルスの立ち下がりまでの時間より短い場合（つまりＱ＜（Ｋ１/ ２）の場合、Ｋ１：パルサーリング１回転当たりのパルス数）には、インボード側回転パルスの立ち下がりとアウトボード側回転パルスの立ち下がり間に、ドライブシャフト１の回転数に比例した周波数を有する回転数比例パルスである位相差検出パルス（図４（ｆ））を発生させ、この位相差検出パルスをカウントすることで、軸トルクに対応したねじれ角度による位相差が求められ、軸トルクを測定できる。この位相差検出パルスのカウントによる位相差の検出を、図２のねじれ角度対応位相差演算手段１６が求める。
なお、図４（ｅ）のように回転数比例パルスを常に発生させ、インボード側回転パルスの立ち下がりとアウトボード側回転パルスの立ち下がりの間だけパルス数をカウントするようにしても良い。
【００３６】
この位相差検出パルスの周波数を、ドライブシャフト回転数（ｒｐｍ）／６０×Ｋ１（Ｋ１：パルサーリング１回転当たりのパルス数）とすれば、軸トルクは
Ｋ２×Ｑ／Ｋ１  （Ｋ２：定数）  で計算される。
【００３７】
この軸トルクの計算を、図２の位相差対応軸トルク演算手段１３が行う。なお、ねじれ角度対等位相差演算手段１６と位相差対応軸トルク演算手段１３とは概念的に分けて示したものであり、具体的には両手段１６，１３をまとめた一つの演算手段が用いられる。
【００３８】
一方、図５で示されるように、アウトボード側回転パルスの立ち下がりからインボード側回転パルスの立ち下がりまでの時間が、インボード側回転パルスの立ち下がりからアウトボード側回転パルスの立ち下がりまでの時間より短い場合（すなわち、Ｑ＞（Ｋ１/ ２）の場合、Ｋ１：パルサーリング１回転当たりのパルス数）には、軸トルクは
Ｋ２×（Ｋ１−Ｑ）／Ｋ１  （Ｋ２：定数）  で計算される。
【００３９】
ここで、回転数に比例した周波数のパルスは高いほど、インボード側パルサーリングとアウトボード側パルサーリング間のねじれは感度良く測定できる。そこで、ドライブシャフトのねじれ検出の分解能をＳ度とした場合、（６０×ドライブシャフトの回転数（rpm ）／Ｓ）Hz以上であることが望ましい。
【００４０】
一方、ドライブシャフト１のねじれ角度、すねわち両センサーターゲット４，５間の位相差が大きくなりすぎると、位相差検出パルス数を誤カウントしてしまう可能性がある。よって、このような誤カウントを避けるため、測定する最大のねじれ角度をＢdeg とすると、Ｂ＞（１８０／Ａ）となるようなセンサーターゲット４，５の歯数Ａとすることで、ねじれを推定する計算方法が簡便化され、軸トルク検出の信頼性もアップすることができる。
【００４１】
さらに、測定されたドライブシャフト１の軸トルクに相当するドライブシャフト１のねじれ角度が、想定した最大のねじれ角度Ｂdeg 以上となった場合に、異常信号を外部に出力することで、さらなる軸トルク検出の信頼性もアップが図れると同時に、ドライブシャフト１の破損を防止できる。
図２の異常判定手段１９は、この想定した最大のねじれ角度Ｂdeg を設定しておいて、ドライブシャフト１のねじれ角度が設定ねじれ角度以上となった場合に異常信号を出力するものとされる。
【００４２】
また、アウトボード側のセンサーターゲット５とセンサ７の位置、インボード側センサーターゲット４とセンサ６の位置によって、ドライブシャフト１にトルクが作用していない状態であっても、検出される位相差が存在する場合がある。そのため、アウトボード側の回転パルス信号とインボード側の回転パルス信号は、前記ドライブシャフト１にトルクが作用していない状態で、位相差がゼロとなるように、等速ジョイント２，３の外輪２ａ，３ａへのパルサーリング等からなるセンサーターゲット４，５の固定、もしくは電磁ピックアップ等からなるセンサ６，７の位相角を調整することが望ましい。
【００４３】
ドライブシャフト１にトルクが作用していない状態で、ドライブシャフト１のアウトボード側の回転パルス信号とインボード側の回転パルス信号に位相差があった場合には、この値を予め測定しておき、軸トルク測定時の位相差の演算結果を補正するようにしてもよい。図２の初期位相ずれ補正手段２２は、この補正を行う手段である。
【００４４】
図６のように、予め両等速ジョイント２，３の外輪２ａ，３ａ間のトルクと前記位相差の関係を、測定もしくは計算により求めておき、等速ジョイント２，３内部のトルクとねじれ角度の非線形性を補正するようにしても良い。これにより、より正確な軸トルクの測定が可能となる。
図２のトルク・位相差関係補正手段２３は、上記のように求められたトルクと位相差の関係を記憶しておき、上記の非線形性を補正する手段である。
【００４５】
図７（Ａ），（Ｂ）は、それぞれセンサーターゲット４，５をパルサーリングとした例および磁気エンコーダとした例を示す。
センサーターゲット４，５がパルサーリングと磁気エンコーダのいずれの場合であっても、各センサーターゲット４，５に対向し設置されるセンサ６，７を複数個用い、それぞれ、所定の間隔に離して固定することで、図８に示すように、同一センサーターゲット４，５に対向するセンサ６，７の出力から求めたドライブシャフト１の回転方向を検出することができる。図２の回転方向検出手段２０は、この回転方向の検出の処理を行う。この回転方向検出結果を元に、上記のように軸トルク測定時の計算方法が変更される。
なお、回転方向の検出は、外部に設けたセンサ（図示せず）によって求めてもよい。
【００４６】
図９にはカウントされる位相差検出パルス数Ｑが回転周波数に比例したパルス数Ｕの半分（Ｕ２）より少ない場合の、正転・逆転時の計算方法を示す。
図９に示すＱ＜Ｕ／２の場合は、正転時の軸トルクが、
（軸トルク）＝Ｋ３×Ｑ    （Ｋ３：定数）
として計算され、逆転時の軸トルクが、
（軸トルク）＝Ｋ３×（Ｕ−Ｑ）  （Ｋ３：定数）
として計算される。
図１０にはカウントされる位相差検出パルス数Ｑが回転周波数に比例したパルス数Ｕの半分（Ｕ／２）より多い場合の、正転・逆転時の計算方法を示す。
図１０に示すＱ＞Ｕ／２の場合は、正転時の軸トルクが、
（軸トルク）＝Ｋ３×（Ｕ−Ｑ）／（ドライブシャフト回転数）  （Ｋ３：定数）
として計算され、逆転時の軸トルクが、
（軸トルク）＝Ｋ３×Ｑ／（ドライブシャフト回転数）  （Ｋ３：定数）
として計算される。
このように、ドライブシャフト１の回転方向および検出される位相差信号（Ｑ）によって、軸トルク測定時の計算方法を変更することによって正確な軸トルクを可能とする。
この回転方向による計算方法の変更を、図２の回転方法対応計算式変更手段２１により行う。
【００４７】
また、通常、アウトボード側の等速ジョイント３に固定される車軸用軸受部で、車輪回転速度検出用回転センサ（ＡＢＳセンサ）が構成されるが、その精度は高く、１回転当たりの回転パルス数は約５０パルスと多い。
よって、このＡＢＳセンサとして、等速ジョイント３で検出した回転パルスを利用するには、分解能を高める必要がある。この分解能を高めるためには、センサーターゲット５がパルサーリングである場合はその歯による凸と凹部の幅を同じとし、また、センサーターゲット５が磁気エンコーダである場合は、Ｓ極およびＮ極の極間隔をほぼ同じにする。さらに、各センサーターゲット５に対向して設置される複数個のセンサ７の出力は、互いに、センサ個数をＤ個とすると（１８０／）deg の位相差をもつようにする。さらに、これらのセンサの出力によってセンサーターゲットの凹凸もしくは極変化によるパルス出力をＤ分割することで、このＤ分割されたパルス出力を得、これをアンチロックブレーキシステム３２の制御用の車輪回転速度信号として利用してもよい。
【００４８】
図１１，図１２に、それぞれセンサ７（６）を２個または３個用いた例を示している。それぞれ、図中の表のようなロジックを構成することで、各センサ７（６）の出力から、パルス分割により周波数を高めたパルスの出力を得ることができる。表中の「Ｈ」はハイレベル、「Ｌ」はローレベルを示す。また、「センサ１」，「センサ２」…とあるのは、同じセンサ７またはセンサ６のうち、円周方向に並ぶセンサを区別するために符号「１」，「２」を付したものである。
図２のパルス分割手段２４は、同図に示すようなパルス分割を行う。
【００４９】
さらに、各センサーターゲット４，５に対向し設置されるＤ個のセンサ６，７の出力は互いに（１８０／Ｄ）deg の位相差をもつように、各センサ位置を調整し、また各センサーターゲット４，５に対向し設置されるＤ個のセンサ６，７の出力は互いに（１８０／Ｄ）deg の位相差をもつように、予め両センサ出力の測定結果から、その位相差を検出しておき、この検出した位相差とセンサーターゲットの回転速度によって回転検出パルスの出力を補正することによって、ＡＢＳセンサとして精度アップを図ってもよい。
【００５０】
また、前記の各例では、センサーターゲット４，５に対して、センサ６，７をラジアル方向から対向させているが、図１３に示すようにアキシアル方向に対向させてもよい。
【００５１】
図２の車両制御装置３１は、このようにして求められた軸トルクの信号に基づいて、たとえばエンジンの点火タイミングを遅らせる等のエンジン制御を行なう。そうすることによって、過大トルクの発生を防止できる。過大トルクの発生が防止できれば、ドライブシャフト１の軸径や等速ジョイント２，３の外径のサイズダウンが可能となる。さらに、この軸トルク測定値によって、路面−タイヤ間のスリップ状態も推定して把握でき、走行制御に利用できる。
【００５２】
図２の車両制御装置３１は、上記のようにして求めた軸トルク信号を、さらに、トラクションコントロールのためのエンジン制御や、ＡＴトランスミッションの制御、電子制御ＬＳＤ等の走行制御に利用するものであっても良い。
【００５３】
以上説明したところから明らかなように、この実施形態は、ＡＢＳ用パルサーリング等からなるセンサーターゲット５の付いたドライブシャフト１に、パルサーリング等からなるセンサーターゲット４をさらに一つ追加して軸トルクを検出するようにしたものであるため、極めて低コストで、ドライブシャフト１の軸トルクを検出することができる。また上記のように軸トルクを正確に測定することができる。そして、軸トルクの信号に基づいてエンジン制御を行なうことで過大トルクの発生を抑えることができる。したがって、ドライブシャフト１の軸及び等速ジョイント２，３のサイズダウンが実現し、車両の軽量化に寄与する。さらに、軽量化できたことで自動車の燃費が向上する。
また、軸トルクを走行制御に利用することで最適制御が可能となる。たとえば、トラクションコントロールに必要なエンジン制御用の駆動軸トルク信号として利用することができる。ＡＴトランスミッションに駆動軸トルク制御を加えることにより効率の向上が得られ、燃費が改善される。電子制御ＬＳＤに駆動軸トルク制御を加えることにより最適なトルク配分が得られる。
【図面の簡単な説明】
【００５４】
【図１】この発明の一実施形態にかかる軸トルク測定方法，測定装置を適用するドライブシャフトおよび等速ジョイントの縦断面図である。
【図２】同軸トルク測定装置の概念構成を示すブロック図である。
【図３】センサーターゲットの回転により発生するパルスのタイムチャートである。
【図４】センサーターゲットの回転により発生するパルスと、位相差検出パルスの関係を示すタイムチャートである。
【図５】センサーターゲットの回転により発生するパルスと、位相差検出パルスの関係の別の例を示すタイムチャートである。
【図６】トルクと位相角との関係を示すグラフである。
【図７】センサ取り付け位相の説明図である。
【図８】回転方向とその演算に関する説明図である。
【図９】位相差検出パルスと回転数比例パルスの関係による軸トルク演算方法を示す説明図である。
【図１０】位相差検出パルスと回転数比例パルスの関係が図９と異なる例における軸トルク演算方法を示す説明図である。
【図１１】センサ個数が２つの場合の演算ロジック説明図である。
【図１２】センサ個数が３つの場合の演算ロジック説明図である。
【図１３】センサの変形例の説明図である。
【符号の説明】
【００５５】
１…ドライブシャフト
２，３…等速ジョイント
４，５…センサーターゲット
６，７…センサ
８，９…回転検出器
１１…軸トルク演算部
１２…位相差演算処理手段
１３…位相差対応軸トルク演算手段
１４…一定周波数パルス出力手段
１５…一定周波数パルスカウント手段
１６…ねじれ角度対応位相差演算手段
１８…回転数比例パルス出力手段
【図１】
2007093407.tif 000003
【図２】
2007093407.tif 000004
【図３】
2007093407.tif 000005
【図４】
2007093407.tif 000006
【図５】
2007093407.tif 000007
【図６】
2007093407.tif 000008
【図７】
2007093407.tif 000009
【図８】
2007093407.tif 000010
【図９】
2007093407.tif 000011
【図１０】
2007093407.tif 000012
【図１１】
2007093407.tif 000013
【図１２】
2007093407.tif 000014
【図１３】
2007093407.tif 000015